【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
相変化インクキャリヤおよび次式の着色剤化合物を含む相変化インク組成物。
【化１】
2005015807.tif 000001
（ここでＭは、（１）正の電荷＋ｙを有する金属イオン（ここでｙは整数であって、少なくとも２）であって、
前記金属イオンは、少なくとも２つの次式のクロモゲン部分と化合物を形成することが可能である金属イオンであるか、
【化２】
2005015807.tif 000002
または、（２）少なくとも２つの次式のクロモゲン部分と化合物を形成することが可能である金属含有部分であるか、のいずれかであり、
【化３】
2005015807.tif 000003
ｚは、金属と会合している次式のクロモゲン部分の数を表す整数であって、
【化４】
2005015807.tif 000004
少なくとも２であり、
Ｒ１、Ｒ２、Ｒ３、およびＲ４はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ここでＲ１とＲ２とが結合して環を形成していてもよく、
ここでＲ３とＲ４とが結合して環を形成していてもよく、そして
ここでＲ１、Ｒ２、Ｒ３、およびＲ４はそれぞれ、中央構造のフェニル環に結合していてもよく、
ａおよびｂはそれぞれ、他とは独立して、整数の０、１、２、または３であり、
ｃは整数の０、１、２、３、または４であり、
それぞれＲ５、Ｒ６、およびＲ７は、他とは独立して、
（ｉ）アルキル基、
（ｉｉ）アリール基、
（ｉｉｉ）アリールアルキル基、
（ｉｖ）アルキルアリール基、
（ｖ）ハロゲン原子、
（ｖｉ）エステル基、
（ｖｉｉ）アミド基、
（ｖｉｉｉ）スルホン基、
（ｉｘ）アミン基またはアンモニウム基、
（ｘ）ニトリル基、
（ｘｉ）ニトロ基、
（ｘｉｉ）ヒドロキシ基、
（ｘｉｉｉ）シアノ基、
（ｘｉｖ）ピリジンまたはピリジニウム基、
（ｘｖ）エーテル基、
（ｘｖｉ）アルデヒド基、
（ｘｖｉｉ）ケトン基、
（ｘｖｉｉｉ）カルボニル基、
（ｘｉｘ）チオカルボニル基、
（ｘｘ）スルフェート基、
（ｘｘｉ）スルフィド基、
（ｘｘｉｉ）スルホキシド基、
（ｘｘｉｉｉ）ホスフィンまたはホスホニウム基、
（ｘｘｉｖ）ホスフェート基、
（ｘｘｖ）メルカプト基、
（ｘｘｖｉ）ニトロソ基、
（ｘｘｖｉｉ）アシル基、
（ｘｘｖｉｉｉ）酸無水物基、
（ｘｘｉｘ）アジド基、
（ｘｘｘ）アゾ基、
（ｘｘｘｉ）シアナト基、
（ｘｘｘｉｉ）イソシアナト基、
（ｘｘｘｉｉｉ）チオシアナト基、
（ｘｘｘｉｖ）イソチオシアナト基、
（ｘｘｘｖ）ウレタン基、または
（ｘｘｘｖｉ）ウレア基であり、
ここでＲ５、Ｒ６、およびＲ７はそれぞれ、中央構造のフェニル環に結合していてもよく、
【化５】
2005015807.tif 000005
は
【化６】
2005015807.tif 000006
【化７】
2005015807.tif 000007
【化８】
2005015807.tif 000008
または
【化９】
2005015807.tif 000009
であり、
Ｒ８、Ｒ９、およびＲ１０はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ただし、Ｒ１＋Ｒ２＋Ｒ３＋Ｒ４＋Ｒ５＋Ｒ６＋Ｒ７＋Ｒ８＋Ｒ９＋Ｒ１０の中の炭素原子の数は少なくとも１６であり、
Ｑ−はＣＯＯ−基またはＳＯ３−基であり
ｄは、整数の１、２、３、４、または５であり、
Ａはアニオンであり、そして
ＣＡは水素原子であるかまたは、Ｑ−基の内の１つを除く全部と会合するカチオンのいずれかである）
【請求項２】
請求項１に記載の相変化インク組成物であって、
前記化合物が次式である相変化インク組成物。
【化１０】
2005015807.tif 000010
（ここでＭは、金属カチオンであり、
ｙは前記金属カチオンの上の電荷を表す整数で、少なくとも２であり、
Ａはアニオンであり、そして
ｘはそのアニオンの上の電荷を表す整数）
【請求項３】
請求項１に記載の相変化インク組成物であって、
前記クロモゲンが次式である相変化インク組成物。
【化１１】
2005015807.tif 000011
【請求項４】
請求項１に記載の相変化インク組成物であって、
前記クロモゲンが次式である相変化インク組成物。
【化１２】
2005015807.tif 000012
【化１３】
2005015807.tif 000013
（ｎは少なくとも１１）、
【化１４】
2005015807.tif 000014
【化１５】
2005015807.tif 000015
（ｎは少なくとも１２）、
【化１６】
2005015807.tif 000016
（ｎは少なくとも１２）、
【請求項５】
請求項１に記載の相変化インク組成物であって、
前記クロモゲンが次式である相変化インク組成物。
【化１７】
2005015807.tif 000017
（ｎは少なくとも１２）、
【化１８】
2005015807.tif 000018
【化１９】
2005015807.tif 000019
（ｎは少なくとも１２）、
【化２０】
2005015807.tif 000020
（ｎは少なくとも１２）、
【化２１】
2005015807.tif 000021
（ｎは少なくとも１２）、
【化２２】
2005015807.tif 000022
【化２３】
2005015807.tif 000023
（ｎは少なくとも１２）、
【化２４】
2005015807.tif 000024
（ｎは少なくとも１２）、
【化２５】
2005015807.tif 000025
（ｎは少なくとも１２）、
【化２６】
2005015807.tif 000026
【化２７】
2005015807.tif 000027
【化２８】
2005015807.tif 000028
【化２９】
2005015807.tif 000029
（ｎは少なくとも１２）、
【化３０】
2005015807.tif 000030
（ｎは少なくとも１２）、
【化３１】
2005015807.tif 000031
（ｎは少なくとも１２）、
【化３２】
2005015807.tif 000032
【化３３】
2005015807.tif 000033
（ｎは少なくとも１２）、
【化３４】
2005015807.tif 000034
（ｎは少なくとも１２）、
【化３５】
2005015807.tif 000035
（ｎは少なくとも１２）、
【化３６】
2005015807.tif 000036
（ｎの平均値は少なくとも１２）、
【化３７】
2005015807.tif 000037
（ｎの平均値は５０）、
【化３８】
2005015807.tif 000038
【化３９】
2005015807.tif 000039
【化４０】
2005015807.tif 000040
【化４１】
2005015807.tif 000041
または
【化４２】
2005015807.tif 000042
【請求項６】
請求項１に記載の相変化インク組成物であって、
（ａ）Ｍが亜鉛カチオン、ｙが２、そして前記クロモゲンが次式、
【化４３】
2005015807.tif 000043
（ｂ）Ｍがカルシウムカチオン、ｙが２、そして前記クロモゲンが次式、
【化４４】
2005015807.tif 000044
（ｃ）Ｍがビスマスカチオン、ｙが３、そして前記クロモゲンが次式、
【化４５】
2005015807.tif 000045
（ｄ）Ｍがスズカチオン、ｙが２、そして前記クロモゲンが次式、
【化４６】
2005015807.tif 000046
（ｅ）Ｍが鉄カチオン、ｙが２、そして前記クロモゲンが次式、
【化４７】
2005015807.tif 000047
（ｆ）Ｍが銅カチオン、ｙが２、そして前記クロモゲンが次式、
【化４８】
2005015807.tif 000048
（ｇ）Ｍがアルミニウムカチオン、ｙが３、そして前記クロモゲンが次式、
【化４９】
2005015807.tif 000049
（ｈ）Ｍがニッケルカチオン、ｙが２、そして前記クロモゲンが次式、
【化５０】
2005015807.tif 000050
（ｉ）Ｍがチタンカチオン、ｙが４、そして前記クロモゲンが次式、
【化５１】
2005015807.tif 000051
または
（ｊ）Ｍがクロムカチオン、ｙが３、そして前記クロモゲンが次式、
【化５２】
2005015807.tif 000052
である、組成物。
【請求項７】
相変化インクキャリヤと、下記（ａ）と（ｂ）との反応生成物である着色剤と、を含む相変化インクであって、
（ａ）次式のクロモゲン、
【化５３】
2005015807.tif 000053
（ここでＲ１、Ｒ２、Ｒ３、およびＲ４はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ここでＲ１とＲ２とが結合して環を形成していてもよく、
ここでＲ３とＲ４とが結合して環を形成していてもよく、そして
ここでＲ１、Ｒ２、Ｒ３、およびＲ４はそれぞれ、中央構造のフェニル環に結合していてもよく、
ａおよびｂはそれぞれ、他とは独立して、整数の０、１、２、または３であり、
ｃは整数の０、１、２、３、または４であり、
それぞれＲ５、Ｒ６、およびＲ７は、他とは独立して、
（ｉ）アルキル基、
（ｉｉ）アリール基、
（ｉｉｉ）アリールアルキル基、
（ｉｖ）アルキルアリール基、
（ｖ）ハロゲン原子、
（ｖｉ）エステル基、
（ｖｉｉ）アミド基、
（ｖｉｉｉ）スルホン基、
（ｉｘ）アミン基またはアンモニウム基、
（ｘ）ニトリル基、
（ｘｉ）ニトロ基、
（ｘｉｉ）ヒドロキシ基、
（ｘｉｉｉ）シアノ基、
（ｘｉｖ）ピリジンまたはピリジニウム基、
（ｘｖ）エーテル基、
（ｘｖｉ）アルデヒド基、
（ｘｖｉｉ）ケトン基、
（ｘｖｉｉｉ）カルボニル基、
（ｘｉｘ）チオカルボニル基、
（ｘｘ）スルフェート基、
（ｘｘｉ）スルフィド基、
（ｘｘｉｉ）スルホキシド基、
（ｘｘｉｉｉ）ホスフィンまたはホスホニウム基、
（ｘｘｉｖ）ホスフェート基、
（ｘｘｖ）メルカプト基、
（ｘｘｖｉ）ニトロソ基、
（ｘｘｖｉｉ）アシル基、
（ｘｘｖｉｉｉ）酸無水物基、
（ｘｘｉｘ）アジド基、
（ｘｘｘ）アゾ基、
（ｘｘｘｉ）シアナト基、
（ｘｘｘｉｉ）イソシアナト基、
（ｘｘｘｉｉｉ）チオシアナト基、
（ｘｘｘｉｖ）イソチオシアナト基、
（ｘｘｘｖ）ウレタン基、または
（ｘｘｘｖｉ）ウレア基であり、
ここでＲ５、Ｒ６、およびＲ７はそれぞれ、中央構造のフェニル環に結合していてもよく、
【化５４】
2005015807.tif 000054
は
【化５５】
2005015807.tif 000055
【化５６】
2005015807.tif 000056
【化５７】
2005015807.tif 000057
または
【化５８】
2005015807.tif 000058
Ｒ８、Ｒ９、およびＲ１０はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ただし、Ｒ１＋Ｒ２＋Ｒ３＋Ｒ４＋Ｒ５＋Ｒ６＋Ｒ７＋Ｒ８＋Ｒ９＋Ｒ１０の中の炭素原子の数は少なくとも１６であり、
Ｑ−はＣＯＯ−基またはＳＯ３−基であり
ｄは、整数の１、２、３、４、または５であり、
Ａはアニオンであり、そして
ＣＡは水素原子であるかまたは、Ｑ−基の内の１つを除く全部と会合するカチオンのいずれかである）、および
（ｂ）金属塩であって、その金属部分が、
（１）正の電荷＋ｙを有する金属イオン（ここでｙは整数であって、少なくとも２）であって、
前記金属イオンは、少なくとも２つの次式のクロモゲン部分と化合物を形成することが可能である金属イオンであるか、
【化５９】
2005015807.tif 000059
または、（２）少なくとも２つの次式のクロモゲン部分と化合物を形成することが可能である金属含有部分であるか、
【化６０】
2005015807.tif 000060
のいずれかである、
相変化インク。
【請求項８】
方法であって、
（１）相変化インクキャリヤおよび次式の着色剤化合物を含む相変化インク組成物をインクジェット印刷装置の中に組み込む工程と、
【化６１】
2005015807.tif 000061
（ここでＭは、（１）正の電荷＋ｙを有する金属イオン（ここでｙは整数であって、少なくとも２）であって、
前記金属イオンは、少なくとも２つの次式のクロモゲン部分と化合物を形成することが可能である金属イオンであるか、
【化６２】
2005015807.tif 000062
または、（２）少なくとも２つの次式のクロモゲン部分と化合物を形成することが可能である金属含有部分であるか、のいずれかであり、
【化６３】
2005015807.tif 000063
ｚは、金属と会合している次式のクロモゲン部分の数を表す整数であって、
【化６４】
2005015807.tif 000064
少なくとも２であり、
Ｒ１、Ｒ２、Ｒ３、およびＲ４はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ここでＲ１とＲ２とが結合して環を形成していてもよく、
ここでＲ３とＲ４とが結合して環を形成していてもよく、そして
ここでＲ１、Ｒ２、Ｒ３、およびＲ４はそれぞれ、中央構造のフェニル環に結合していてもよく、
ａおよびｂはそれぞれ、他とは独立して、整数の０、１、２、または３であり、
ｃは整数の０、１、２、３、または４であり、
それぞれＲ５、Ｒ６、およびＲ７は、他とは独立して、
（ｉ）アルキル基、
（ｉｉ）アリール基、
（ｉｉｉ）アリールアルキル基、
（ｉｖ）アルキルアリール基、
（ｖ）ハロゲン原子、
（ｖｉ）エステル基、
（ｖｉｉ）アミド基、
（ｖｉｉｉ）スルホン基、
（ｉｘ）アミン基またはアンモニウム基、
（ｘ）ニトリル基、
（ｘｉ）ニトロ基、
（ｘｉｉ）ヒドロキシ基、
（ｘｉｉｉ）シアノ基、
（ｘｉｖ）ピリジンまたはピリジニウム基、
（ｘｖ）エーテル基、
（ｘｖｉ）アルデヒド基、
（ｘｖｉｉ）ケトン基、
（ｘｖｉｉｉ）カルボニル基、
（ｘｉｘ）チオカルボニル基、
（ｘｘ）スルフェート基、
（ｘｘｉ）スルフィド基、
（ｘｘｉｉ）スルホキシド基、
（ｘｘｉｉｉ）ホスフィンまたはホスホニウム基、
（ｘｘｉｖ）ホスフェート基、
（ｘｘｖ）メルカプト基、
（ｘｘｖｉ）ニトロソ基、
（ｘｘｖｉｉ）アシル基、
（ｘｘｖｉｉｉ）酸無水物基、
（ｘｘｉｘ）アジド基、
（ｘｘｘ）アゾ基、
（ｘｘｘｉ）シアナト基、
（ｘｘｘｉｉ）イソシアナト基、
（ｘｘｘｉｉｉ）チオシアナト基、
（ｘｘｘｉｖ）イソチオシアナト基、
（ｘｘｘｖ）ウレタン基、または
（ｘｘｘｖｉ）ウレア基であり、
ここでＲ５、Ｒ６、およびＲ７はそれぞれ、中央構造のフェニル環に結合していてもよく、
【化６５】
2005015807.tif 000065
は
【化６６】
2005015807.tif 000066
【化６７】
2005015807.tif 000067
【化６８】
2005015807.tif 000068
または
【化６９】
2005015807.tif 000069
であり、
Ｒ８、Ｒ９、およびＲ１０はそれぞれ、他とは独立して、
（ｉ）水素原子、
（ｉｉ）アルキル基、
（ｉｉｉ）アリール基、
（ｉｖ）アリールアルキル基、または
（ｖ）アルキルアリール基であるが、
ただし、Ｒ１＋Ｒ２＋Ｒ３＋Ｒ４＋Ｒ５＋Ｒ６＋Ｒ７＋Ｒ８＋Ｒ９＋Ｒ１０の中の炭素原子の数は少なくとも１６であり、
Ｑ−はＣＯＯ−基またはＳＯ３−基であり
ｄは、整数の１、２、３、４、または５であり、
Ａはアニオンであり、そして
ＣＡは水素原子であるかまたは、Ｑ−基の内の１つを除く全部と会合するカチオンのいずれかである）、
（２）前記インクを溶融させる工程と、および
（３）前記溶融させたインクの液滴を基材の上に像様パターンに吐出させる工程と、を含む方法。